(57)【要約】  多搬送波システムにおける信号方式のための方法が提供される。多数の上りリンク活性度チャネルが下りリンクの１又は複数の搬送波に対して動的に指定され，この上りリンク活性度チャネルは対応する上りリンクの多数の搬送波についての情報を搬送する。チャネル指定についての情報及び上りリンク搬送波についての情報を示すために，メッセージが発生される。
2009504055.tif 000002
【特許請求の範囲】
【請求項１】
下りリンクの多数の搬送波のうち１又は複数に，多数の上りリンク活性度チャネルを動的に指定するステップであって，前記上りリンク活性度チャネルは，上りリンクの対応する多数の搬送波についての情報を搬送するステップと，
前記のチャネル指定についての情報及び前記の上りリンク搬送波についての前記情報を示すメッセージを発生するステップと，
を有する方法。
【請求項２】
前記動的に指定するステップは，前記上りリンク活性度チャネルそれぞれにチャネル識別子を指定するステップを含み，前記チャネル識別子は直交符号とする請求項１に記載の方法。
【請求項３】
前記直交符号はウォルシュカバーとする請求項２に記載の方法。
【請求項４】
スペクトラム拡散を用い，前記下りリンクを介して端末に前記メッセージを送信するステップを更に含む請求項１に記載の方法。
【請求項５】
上りリンク搬送波の数は，下りリンク搬送波の数と異なるものとする請求項１に記載の方法。
【請求項６】
上りリンク搬送波の数をＭ（Ｍは整数）とし，セクタ当たりＭ−１個のウォルシュカバーを前記上りリンク活性度チャネルに予約するステップを更に有する請求項１に記載の方法。
【請求項７】
前記上りリンク搬送波についての前記情報は上りリンク活性度ビットとして示し，１つの送信スロットを用いて前記上りリンク搬送波のうち２つに対応する前記上りリンク活性度ビットを送信するステップを更に有し，前記メッセージは前記上りリンク活性度ビットと前記対応する上りリンク搬送波との関連を示す請求項１に記載の方法。
【請求項８】
前記メッセージは，
多数の上りリンク搬送波に対応しているかどうかを示すフィールドと，
上りリンク搬送波の数を示すフィールドと，
前記上りリンク搬送波のチャネルレコードを特定するフィールドと，
前記上りリンク活性度チャネルと前記下りリンク搬送波とを関連付けるフィールドと，
を含む請求項１に記載の方法。
【請求項９】
前記メッセージは，前記上りリンク活性度チャネルに対応するウォルシュカバーについての情報を示すフィールドを更に含む請求項８に記載の方法。
【請求項１０】
前記上りリンク活性度チャネルについての前記情報は上りリンク活性度ビットとして示し，前記メッセージは前記上りリンク活性度チャネルのスロット内の前記上りリンク活性度ビットの位置を示すフィールドを更に含む請求項８に記載の方法。
【請求項１１】
下りリンクの多数の搬送波のうち１又は複数に，多数の上りリンク活性度チャネルを動的に指定するように構成したプロセッサを備え，前記上りリンク活性度チャネルは，上りリンクの対応する多数の搬送波についての情報を搬送し，
前記プロセッサは，前記のチャネル指定についての情報及び前記の上りリンク搬送波についての前記情報を示すメッセージを発生するように更に構成する装置。
【請求項１２】
前記プロセッサは，前記上りリンク活性度チャネルそれぞれにチャネル識別子を指定するように更に構成し，前記チャネル識別子は直交符号とする請求項１１に記載の装置。
【請求項１３】
前記直交符号はウォルシュカバーとする請求項１２に記載の装置。
【請求項１４】
スペクトラム拡散を用い，前記下りリンクを介して端末に前記メッセージを送信するように構成した送受信器を更に備える請求項１１に記載の装置。
【請求項１５】
上りリンク搬送波の数は，下りリンク搬送波の数と異なるものとする請求項１１に記載の装置。
【請求項１６】
上りリンク搬送波の数をＭ（Ｍは整数）とし，セクタ当たりＭ−１個のウォルシュカバーを前記上りリンク活性度チャネルに予約するように前記プロセッサを更に構成する請求項１１に記載の装置。
【請求項１７】
前記上りリンク搬送波についての前記情報は上りリンク活性度ビットとして示し，前記装置は，１つの送信スロットを用いて前記上りリンク搬送波のうち２つに対応する前記上りリンク活性度ビットを送信するように構成した送受信器を更に備え，前記メッセージは前記上りリンク活性度ビットと前記対応する上りリンク搬送波との関連を示す請求項１１に記載の装置。
【請求項１８】
前記メッセージを記憶するように構成したメモリを更に備え，前記メッセージは，
多数の上りリンク搬送波に対応しているかどうかを示すフィールドと，
上りリンク搬送波の数を示すフィールドと，
前記上りリンク搬送波のチャネルレコードを特定するフィールドと，
前記上りリンク活性度チャネルと前記下りリンク搬送波とを関連付けるフィールドと，
を含む請求項１１に記載の装置。
【請求項１９】
前記メッセージは，前記上りリンク活性度チャネルに対応するウォルシュカバーについての情報を示すフィールドを更に含む請求項１８に記載の装置。
【請求項２０】
前記上りリンク活性度チャネルについての前記情報は上りリンク活性度ビットとして示し，前記メッセージは前記上りリンク活性度チャネルのスロット内の前記上りリンク活性度ビットの位置を示すフィールドを更に含む請求項１８に記載の装置。
【請求項２１】
請求項１１に記載の装置を備えるシステムであって，前記端末にパケットを配信するように構成したパケットデータサービスノードを備えるシステム。
【請求項２２】
チャネル指定についての情報及び上りリンク搬送波についての情報を示すメッセージをネットワークから受信するステップであって，前記ネットワークは，下りリンクの多数の搬送波のうち１又は複数に，多数の上りリンク活性度チャネルを動的に指定し，前記上りリンク活性度チャネルは，上りリンクの対応する多数の搬送波についての情報を搬送するステップと，
前記メッセージを記憶するステップと，
を有する方法。
【請求項２３】
前記の動的指定は，前記上りリンク活性度チャネルそれぞれにチャネル識別子を指定するステップを含み，前記チャネル識別子は直交符号とする請求項２２に記載の方法。
【請求項２４】
前記直交符号はウォルシュカバーとする請求項２３に記載の方法。
【請求項２５】
前記ネットワークは，スペクトラム拡散システムとする請求項２２に記載の方法。
【請求項２６】
上りリンク搬送波の数は，下りリンク搬送波の数と異なるものとする請求項２２に記載の方法。
【請求項２７】
上りリンク搬送波の数をＭ（Ｍは整数）とし，前記ネットワークのセクタ当たりＭ−１個のウォルシュカバーを前記上りリンク活性度チャネルに予約する請求項２２に記載の方法。
【請求項２８】
前記上りリンク搬送波についての前記情報は，１つの送信スロットを用いる前記上りリンク搬送波のうち２つに対応する上りリンク活性度ビットとして示し，前記メッセージは前記上りリンク活性度ビットと前記対応する上りリンク搬送波との関連を示す請求項２２に記載の方法。
【請求項２９】
前記メッセージは，
多数の上りリンク搬送波に対応しているかどうかを示すフィールドと，
上りリンク搬送波の数を示すフィールドと，
前記上りリンク搬送波のチャネルレコードを特定するフィールドと，
前記上りリンク活性度チャネルと前記下りリンク搬送波とを関連付けるフィールドと，
を含む請求項２２に記載の方法。
【請求項３０】
前記メッセージは，前記上りリンク活性度チャネルに対応するウォルシュカバーについての情報を示すフィールドを更に含む請求項２９に記載の方法。
【請求項３１】
前記上りリンク活性度チャネルについての前記情報は上りリンク活性度ビットとして示し，前記メッセージは前記上りリンク活性度チャネルのスロット内の前記上りリンク活性度ビットの位置を示すフィールドを更に含む請求項２９に記載の方法。
【請求項３２】
チャネル指定についての情報及び上りリンク搬送波についての情報を示すメッセージをネットワークから受信するように構成したプロセッサであって，前記ネットワークが下りリンクの多数の搬送波のうち１又は複数に，多数の上りリンク活性度チャネルを動的に指定し，前記上りリンク活性度チャネルが，上りリンクの対応する多数の搬送波についての情報を搬送するプロセッサと，
前記プロセッサに接続し，前記メッセージを記憶するように構成したメモリと，
を備える装置。
【請求項３３】
前記の動的指定は，前記上りリンク活性度チャネルそれぞれにチャネル識別子の指定を含み，前記チャネル識別子は直交符号とする請求項３２に記載の装置。
【請求項３４】
前記直交符号はウォルシュカバーとする請求項３３に記載の装置。
【請求項３５】
前記ネットワークは，スペクトラム拡散システムとする請求項３２に記載の装置。
【請求項３６】
上りリンク搬送波の数は，下りリンク搬送波の数と異なるものとする請求項３２に記載の装置。
【請求項３７】
上りリンク搬送波の数をＭ（Ｍは整数）とし，前記ネットワークのセクタ当たりＭ−１個のウォルシュカバーを前記上りリンク活性度チャネルに予約する請求項３２に記載の装置。
【請求項３８】
前記上りリンク搬送波についての前記情報は，１つの送信スロットを用いる前記上りリンク搬送波のうち２つに対応する上りリンク活性度ビットとして示し，前記メッセージは前記上りリンク活性度ビットと前記対応する上りリンク搬送波との関連を示す請求項３２に記載の装置。
【請求項３９】
前記メッセージは，
多数の上りリンク搬送波に対応しているかどうかを示すフィールドと，
上りリンク搬送波の数を示すフィールドと，
前記上りリンク搬送波のチャネルレコードを特定するフィールドと，
前記上りリンク活性度チャネルと前記下りリンク搬送波とを関連付けるフィールドと，
を含む請求項３２に記載の装置。
【請求項４０】
前記メッセージは，前記上りリンク活性度チャネルに対応するウォルシュカバーについての情報を示すフィールドを更に含む請求項３９に記載の装置。
【請求項４１】
前記上りリンク活性度チャネルについての前記情報は上りリンク活性度ビットとして示し，前記メッセージは前記上りリンク活性度チャネルのスロット内の前記上りリンク活性度ビットの位置を示すフィールドを更に含む請求項３９に記載の装置。
【請求項４２】
請求項３２に記載の装置を備えるシステム。
【請求項４３】
前記ネットワークと通信するように構成した送受信器と，
前記ネットワークとの通信を起動するユーザ入力を受信する手段と，
前記ユーザ入力を表示するように構成したディスプレイと，
を更に備える請求項３２に記載の装置。
【発明の詳細な説明】
【技術分野】
【０００１】
本発明の実施例は通信に関し，より特定すれば多搬送波通信システムに関する。
【背景技術】
【０００２】
セルラシステム（例えば，（符号分割多元接続（ＣＤＭＡ）ネットワークのような）スペクトラム拡散システム，又は時間分割多元接続（ＴＤＭＡ）ネットワーク）のような無線通信システムは，ユーザに移動できる利便性並びに豊富なサービス及び特徴を提供する。この利便性は，業務用及び私用の通信において受け入れられる方法として益々多くの消費者に採用されるようになった。より広く採用されるように，製造事業者からサービス提供事業者に至る通信業界は，上記の種々のサービス及び特徴に対応する通信プロトコル標準を開発するために多大な出費及び努力を行うことに合意した。努力された一分野は，ユーザに移動体音声データサービスを継ぎ目なく提供できるように移動体サービスを拡張することである。すなわちこのような努力は，１つの搬送波を下りリンクに，そして１つの搬送波を上りリンクに用いるシステムに集中された。しかしユーザのより高いスループットへの要求によって，努力は多搬送波システムに方向転換された。多くの挑戦のなかでもこの要求は，１搬送波システムのための現在の標準の枠組みと共存することを要する。更に，下りリンク搬送波数と，上りリンク搬送波数とは異なってもよく，非対称システムにつながることを認識されたい。
【発明の開示】
【発明が解決しようとする課題】
【０００３】
したがって，既存の標準及びプロトコルに対する最小の修正によって，非対称なチャネル指定に対応する効率的な信号方式を提供する方法が必要である。
【０００４】
添付の図面に，本発明を制約ではなく例示として図示する。類似の参照符号は，類似の要素を指す。
【発明を実施するための最良の形態】
【０００５】
本発明によって種々の要望が処理され，上りリンクを介した送信に多搬送波を用いることができる接続端末に，上りリンク活性度情報を提供する方法が提示される。
【０００６】
上りリンクを介した送信に多搬送波を用いることができる接続端末に，上りリンク活性度情報を提供する装置と，方法と，ソフトウェアとを説明する。以降，説明のために，本発明を完全に理解できるように多くの特定の詳細が述べられる。しかし本発明は，これら特定の詳細を用いずに，又は均等な構成によって実施可能であることは，当業者には明白である。別の例として，不必要に本発明を不明りょうにすることを避けるため，周知の構造及びデバイスは，ブロック図で示される。
【０００７】
本発明を種々の実施例によって，（セルラシステムのような）無線通信システムに関して説明するが，当業者であれば本発明の実施例は，有線システムを含む任意の種別の通信システムに適用できることを理解されたい。更に本発明の種々の実施例をチャネル識別子としてウォルシュ（Ｗａｌｓｈ）符号を用いて説明するが，当業者であればほかの直交符号を用いてもよいことを理解するであろう。
【０００８】
図１は，本発明の実施例による，下りリンク及び上りリンク用の非対称な搬送波に対応するように構成された接続ネットワーク（ＡＮ）及び接続端末（ＡＴ）を含む無線システムのアーキテクチャの図である。例として無線ネットワークは，符号分割多重接続（ＣＤＭＡ）Ｎ×ＥＶ−ＤＯ（データ専用進化）ネットワークにおける第３世代パートナシッププロジェクト（３ＧＰＰ）のｃｄｍａ２０００多搬送波要求条件によって運用され，高速パケットデータ（ＨＲＰＤ）サービスを提供する。無線ネットワーク１００は，１又は複数の接続端末（ＡＴ）を含み，そのうちの１つＡＴ１０１が無線インタフェース１０３を介して接続ネットワーク（ＡＮ），すなわち無線基地局，１０５と通信している。ｃｄｍａ２０００システムにおいては，ＡＴは移動機と均等であり，ＡＮは無線基地局と均等である。無線インタフェース１０３は，下りリンク１０３ａ及び上りリンク１０３ａ及び上りリンク１０３ｂにおいて多搬送波を提供する。
【０００９】
ＡＴ１０１は，ユーザにデータ接続を提供するデバイスである。例えばＡＴ１０１は，パーソナル計算機，パーソナルデジタルアシスタント，などのような計算システム，又はデータサービスが可能な携帯電話機に接続することができる。無線構成は２つの運用モード，１×及び多搬送波（Ｎ×，すなわちＮ個の搬送波）を含む。多搬送波システム（例えばシステム１００）は，多数の１×搬送波を用いて，下りリンクを介したＡＴ１０１（すなわち移動機）へのデータ速度を高める。このように１×技術とは異なり，多搬送波システムは多数の搬送波上で運用される。換言すればＡＴ１０１は，多数の搬送波を同時に利用することができる。
【００１０】
コネクションは，ＡＴ１０１が指定される特定の無線リンク状態，下り情報チャネル，上り情報チャネル，関連する媒体接続制御（ＭＡＣ）チャネル，として規定することができる。１つのＨＲＰＤセッション中に，ＡＴ１０１及びＡＮ１０５はコネクションを複数回開始及び停止することができる。ＨＲＰＤセッションは，ＡＴ１０１とＡＮ１０５との共有状態を指すものとする。この共有状態は，調停されたプロトコル及びプロトコル設定を記憶し，ＡＴ１０１とＡＮ１０５との間の通信に用いられる。セッションを開始する以外にＡＴ１０１は，開始されたセッションを有しないＡＮ１０５と通信を行うことができない。ＨＲＰＤに関する更に詳細な説明は，3GPPS C.S0024-A，"cdma 2000 High Rate Packet Data Air Interface Specification"，２００４年３月と，3GPP2 A.S0007-A v2.0，"Interoperability Specification (IOS) for High Rate Packet Data (HRPD) Access Network Interfaces - Rev. A"，２００３年５月と，3GPP2 A.S0008-0 v3.0，"Interoperability Specification (IOS) for High Rate Packet Data (HRPD) Access Network Interfaces"，２００３年５月と，に記載されている。ここでそれらの全体を参照する。
【００１１】
ＡＮ１０５は，大域インターネット１１３及びＡＴ１０１のようなパケット交換データネットワークの間のデータ接続を行うネットワーク装置である。更にＡＮ１０５は，ＡＮ−ＡＡＡ（認証，承認，課金エンティティ）１０７と通信し，それはＡＮ１０５に端末認証及び承認機能を提供する。
【００１２】
種々の実施例によればＡＮ１０５は，高データ速度サービスに対応する高データ速度（ＨＤＲ）無線基地局を含む。無線基地局は，接続端末とネットワークとの間で１又は複数の送受信器を介した無線周波（ＲＦ）インタフェース（搬送波）を供給することを理解されたい。ＨＤＲ無線基地局は，ＨＤＲ無線基地局がサービスを提供する各セクタ（又はセル）に，ＨＤＲアプリケーション用の個別データ専用（ＤＯ）搬送波を供給することができる。個別の無線基地局又は搬送波（図示していない）が，音声アプリケーション用の音声搬送波を供給する。ＨＤＲ接続端末は，ＤＯ接続端末，又は音声サービス及びデータサービス双方を利用できる２重モード移動機であってもよい。データセッションを実行するためにＨＤＲ接続端末は，ＤＯ高速データサービスを用いるためにＤＯ搬送波に接続する。データセッションはパケットデータサービスノード（ＰＤＳＮ）によって制御され，ＰＤＳＮはＨＤＲ接続端末とインターネットとの間ですべてのデータパケットを配信する。ＰＤＳＮはパケット制御機能（ＰＣＦ）１０９に直接のコネクションを有しており，ＰＣＦはＨＤＲ無線基地局の無線基地局制御装置（ＢＳＣ）と接続している。ＢＳＣは，ＨＤＲ無線基地局の運用，維持及び管理と，音声符号化と，速度適応と，無線資源の操作と，を行う。ＢＳＣは個別ノードであってもよいし，１又は複数のＨＤＲ無線基地局と併設してもよい。
【００１３】
各ＨＤＲ無線基地局は，複数（例えば３）のセクタ（又はセル）にサービスを提供することができる。しかし各ＨＤＲ無線基地局は，１つのセル（１つの包括セルを指す）だけにサービスを提供することができることを理解されたい。またネットワークは複数のＨＤＲ無線基地局を含むことができ，各無線基地局は１又は複数のセクタにサービスを提供することができ，ＨＤＲ接続端末は同一ＨＤＲ無線基地局の各セクタ又は別のＨＤＲ無線基地局の各セクタ間でハンドオフできることを理解されたい。各セクタ（又はセル）に対して，ＨＤＲ無線基地局は更に１つの共有の時間分割多重（ＴＤＭ）下りリンクを用い，同時にはただ１つのＨＤＲ接続端末にサービスが提供される。下りリンクのスループットは，すべてのＨＤＲ接続端末が共有する。ＨＤＲ接続端末は，そのデータ速度制御（ＤＲＣ）がセクタを指すようにし，チャネル条件に応じて（すなわちチャネルの搬送波対干渉（Ｃ／Ｉ）比によって）下りデータ速度を要求することによって，ＨＤＲ無線基地局のサービス提供セクタ（又はセル）を選択する。
【００１４】
図示したとおりＡＮ１０５は，ＰＣＦ１０９を介してＰＤＳＮ１１１と通信する。ＡＮ１０５又はＰＣＦ１０９のいずれかがＳＣ／ＭＭ（セッション制御及び移動性管理）機能を提供し，それは中でもＨＲＰＤセッション関連情報の記憶と，ＡＴ１０１が無線ネットワークに接続したとき，ＡＴ１０１を認証するかどうかを判定する端末認証手続の実行と，ＡＴ１０１の位置管理と，を含む。ＰＣＦ１０９は，3GPP2 A.S0001-A v2.0，"3GPP2 Access Network Interfaces Interoperability Specification"，２００１年６月，に更に説明されており，ここにその全体を参照する。またＨＲＰＤに関する更に詳細な説明は，3GPPS C.S0024-IS-856，"cdma 2000 High Rate Packet Data Air Interface Specification"，に記載されており，ここのその全体を参照する。
【００１５】
ｃｄｍａ２０００の１×ＥＶ−ＤＶ（データ及び音声進化）並びに１×ＥＶ−ＤＯ（データ専用進化）双方の無線インタフェース標準は，下りリンク及び上りリンクの無線インタフェース（例えばインタフェース１０３）上のデータパケットを転送する際に用いるパケットデータチャネルを規定している。無線通信システム（例えばシステム１００）は，種々のサービス種別を提供するように設計することができる。これらのサービスには，ポイント‐ツ‐ポイントサービス，又は音声及びパケットデータのような個別サービスを含んでもよく，それらによって送信源（例えば無線基地局）から特定の受信端末へデータが送信される。またこれらのサービスは，ポイント‐ツ‐マルチポイント（すなわちマルチキャスト）サービス又は同報サービスを含んでもよく，それらによって送信源からいくつかの受信端末へデータが送信される。
【００１６】
多元接続無線通信システム１００においては，ユーザ間の通信は１又は複数のＡＴ１０１を通じて行われ，１つの無線局のユーザ（接続端末）は無線基地局へ上りリンク上で情報信号を搬送することによって第２無線局の第２ユーザと通信する。ＡＮ１０５は情報信号を受信し，その情報信号をＡＴ１０１へ下りリンク上で搬送する。次にＡＮ１０５は情報信号をＡＴ１０１へ下りリンク上で搬送する。下りリンクはＡＮ１０５から無線局１０１への送信を指し，上りリンクは無線局１０１からＡＮ１０５への送信を指す。ＡＮ１０５は第１ユーザからデータを受信し，そのデータを公衆交換電話ネットワーク（ＰＳＴＮ）を通じて地上回線局の第２ユーザへ配信する。例えばＩＳ−９５，広帯域ＣＤＭＡ（ＷＣＤＭＡ），ＩＳ−２０００など多くの通信システムにおいて，下りリンクと上りリンクとには別の周波数が割り当てられる。
【００１７】
上述のとおり図１のシステムは，下りリンク上のＮ個の搬送波と，上りリンク上のＭ個の搬送波との非対称な組合せに対応する。ここでＮ及びＭは整数を表す。例示実施例において無線基地局１０５は，下りリンクチャネルである上りリンク活性度チャネルを用いて「上りリンク活性度ビット」を送信することによって上りリンクチャネルの上りリンク活性度を示す。従来の１×ＨＲＰＤシステムにおいては，上りリンク上には１つの搬送波しかない。すなわち直交符号（例えばＷ２１２８のウォルシュ符号）を用いたチャネル識別子が上りリンク活性度チャネルに予約される。しかし上りリンクにＭ個の搬送波を導入することによって，Ｍ個の上りリンク活性度チャネルが用いられる。
【００１８】
例示実施例において図１のシステムは，上りリンク活性度チャネルにチャネル識別子（例えばウォルシュ符号）を予約する。すなわち上りリンク搬送波ごとに上りリンク活性度チャネル用のウォルシュ符号を動的に指定する。注記のとおり，ほかの直交符号を用いてもよいと考えられる。またシステム１００は，１又は複数の下りリンク搬送波とＭ個の上りリンク搬送波用の上りリンク活性度チャネルとを動的に関連付ける。例示実施例においては，上りリンク活性度チャネル用に１２８長ウォルシュカバーを２５６長ウォルシュカバーに拡張する。
【００１９】
図２〜４は，本発明の種々の実施例による上りリンク１０３ｂ用の多数の搬送波に対応する上りリンク活性度情報を提供する例示処理のフローチャートである。
【００２０】
図２の処理は，ステップ２０１に示すとおり，上りリンク活性度チャネルに動的にウォルシュカバーを指定するステップを含む。例示実施例においては，ステップ２０３においてセクタ当たりＭ−１個の更なるウォルシュカバーが予約される。ステップ２０５においてチャネル指定，例えば各上りリンク活性度チャネルへのウォルシュカバーの指定，が接続端末１０１に送信される。例として図５Ａ〜５Ｃに示すとおり，"Traffic Channel Assignment"メッセージをチャネル指定を示すために用いることができる。
【００２１】
図３に上りリンク活性度情報を提供する別の方法を示す。この実施例においては，ステップ３０１において上りリンク活性度チャネル用にウォルシュカバー指定長が例えば１２８から２５６に拡張される。図２の処理に関して，上りリンク活性度チャネル用のウォルシュカバー指定は動的である（ステップ３０３）。ステップ３０５において，セクタ当たりＭ−１個の追加ウォルシュカバーが予約される（例えば１２８〜２５６長のウォルシュカバー）。ステップ３０７において，Traffic Channel Assignmentメッセージを用いて接続端末の各上りリンク搬送波用のウォルシュカバー指定が送信される。
【００２２】
任意の物理チャネル副種別によって上りリンク活性度（ＲＡ）チャネルは，MACIndex ４を有するＭＡＣチャネルを介して上りリンク活性度ビット（ＲＡＢ）ストリームを送信する。ＲＡビットは各スロットにおいて送信され，各スロットにおけるＲＡビットは送信のために更に反復されてスロット当たり２シンボルとなる。
【００２３】
図４の方法は，上りリンク搬送波当たり，スロット当たり１シンボルを用いる。ステップ４０１において上りリンク活性度チャネルはＭＡＣチャネルを介してＲＡＢストリームを送信する。１スロットを用いて２つの上りリンク（ＲＬ）のＲＡＢ，例えばＲＡＢ１及びＲＡＢ２を送信することができる（ステップ４０３）。Traffic Channel Assignmentメッセージは，ＲＡＢ１及びＲＡＢ２と対応するＲＬ搬送波との関連を示すことができる。
【００２４】
図１のシステムにおいて，（接続ネットワーク内の）無線基地局は非対称チャネル指定のとき（下りリンク搬送波数が上りリンク搬送波数と異なるとき），各上りリンクのＲＡＢを独立に送信することができる。
【００２５】
図５Ａ〜５Ｃは，本発明の種々の実施例によるTraffic Channel Assignmentメッセージ（"TrafficChannelAssignment"と記す）の例示形式を示す。図５Ａは，代替実施例によるTraffic Channel Assignmentメッセージの始めの部分を示し，図５Ｂ及び５Ｃは残りの部分を示す。図５Ｂの実施例は，（図２及び図３の処理のとおり）RAChannelWalshCoverフィールドを用い，図５Ｃの実施例は（図４の処理のとおり）RABPositionフィールドを用いる。
【００２６】
表１は，図１の非対称多搬送波通信システムにおいて上りリンク活性度情報を提供する，図５Ａ〜５ＣのTrafficChannelAssignment形式の例示フィールドを示す。
【００２７】
処理（図２〜４）に応じて，Traffic Channel Assignmentメッセージの形式に別の組合せのフィールドを用いてもよいことに注意されたい。
【表１−１】
2009504055.tif 000003
【表１−２】
2009504055.tif 000004
【表１−３】
2009504055.tif 000005
【表１−４】
2009504055.tif 000006
【表２】
2009504055.tif 000007
【表３】
2009504055.tif 000008
【表４】
2009504055.tif 000009
【００２８】
図５Ａ〜５Ｃのメッセージ形式は本質的に例示であって，多くの方法で組織化してもよいし，上りリンク活性度情報を搬送するために別の情報フィールドを用いてもよいことを認識されたい。
【００２９】
当業者であれば上りリンク活性度情報を提供する処理は，ソフトウェア，ハードウェア（例えば，はん用プロセッサ，デジタル信号処理（ＤＳＰ）チップ，特定用途集積回路（ＡＳＩＣ），フィールドプログラム可能ゲートアレイ（ＦＰＧＡ），等），ファームウェア，又はそれらの組合せで実現できることを理解するであろう。上述の機能を実行する例示ハードウェアを，以降図６を参照して説明する。
【００３０】
図６は，本発明の種々の実施例を実現できる例示ハードウェアを示す図である。計算システム６００は，情報を伝送するバス６０１又はほかの通信機構と，情報を処理するバス６０１に接続したプロセッサ６０３と，を含む。また計算システム６００は，情報と，プロセッサ６０３が実行する命令とを記憶する，バス６０１に接続したランダムアクセスメモリ（ＲＡＭ）又はほかの動的記憶デバイスのような主メモリ６０５も含む。主メモリ６０５は，プロセッサ６０３が命令を実行する際に，一時変数又はほかの中間情報を記憶するためにも用いることができる。更に計算システム６００は，静的情報及びプロセッサ６０３の命令を記憶するための，バス６０１に接続した読み出し専用メモリ（ＲＯＭ）６０７又はほかの静的記憶デバイスも含む。磁気ディスク又は光ディスクのような記憶デバイス６０９が，情報及び命令を永続的に記憶するためにバス６０１に接続される。
【００３１】
計算システム６００はバス６０１を介して，ユーザに情報を表示する液晶ディスプレイ又はアクティブマトリクスディスプレイのようなディスプレイ６１１に接続してもよい。英数キー及びほかのキーを含むキーボードのような入力デバイス６１３を，プロセッサ６０３へ情報を伝送し，コマンドを選択するためにバス６０１に接続してもよい。入力デバイス６１３は，プロセッサ６０３へ情報を伝送し，コマンドを選択するため，及びディスプレイ６１１上のカーソルの動きを制御するために，マウス，トラックボール又はカーソル方向キーのようなカーソル制御を含んでもよい。
【００３２】
本発明の種々の実施例によればここに説明した処理は，主メモリ６０５に含まれる一連の命令を実行するプロセッサ６０３に応答して，計算システム６００が提供することができる。このような命令は，記憶デバイス６０９のような別の計算機可読媒体から主メモリ６０５に読み込ませることができる。主メモリ６０５に含まれる一連の命令を実行することによって，プロセッサ６０３はここに説明した処理ステップを実行することができる。また，主メモリ６０５に含まれる命令を実行するために，多重処理構成の１又は複数のプロセッサを用いてもよい。代替実施例においては，本発明の実施例を実現するソフトウェア命令の代わりに，又はそれと組み合わせて，布線回路を用いてもよい。別の例においては，ＦＰＧＡのような再構成可能ハードウェアを用いてもよく，その論理ゲートの機能及び接続トポロジは，実行時に，通常はメモリ参照テーブルをプログラムすることによって個別化することができる。このように本発明の実施例は，ハードウェア回路とソフトウェアとのどの特定の組合せにも限定されない。
【００３３】
また計算システム６００は，バス６０１に接続した少なくとも１つの通信インタフェース６１５も含む。通信インタフェース６１５は，ネットワークリンク（図示していない）に接続する双方向データ通信を提供する。通信インタフェース６１５は，種々の種別の情報を表すデジタルデータストリームを搬送する電気信号，電磁気信号又は光信号を送受信する。更に通信インタフェース６１５は，はん用直列バス（ＵＳＢ）インタフェース，ＰＣＭＣＩＡ（パーソナル計算機メモリカード国際協会）インタフェース，等のような周辺インタフェースデバイスを含んでもよい。
【００３４】
プロセッサ６０３は，送信されたコードを受信中に実行してもよいし，及び／又は後で実行するために記憶デバイス６０９又はほかの不揮発性記憶にそのコードを記憶してもよい。この方法で計算システム６００は，搬送波の形態でアプリケーションコードを取得してもよい。
【００３５】
ここで用いた「計算機可読媒体」という用語は，プロセッサ６０３が実行するための命令を供給する任意の媒体を指すものとする。このような媒体は，不揮発性媒体と，揮発性媒体と，伝送媒体と，を含むがこれに限定されない多くの形態をとることができる。不揮発性媒体は，例えば記憶デバイス６０９のような光ディスク又は磁気ディスクを含む。揮発性媒体は，主メモリ６０５のようなダイナミックメモリを含む。伝送媒体は，バス６０１を構成する布線を含む，同軸ケーブルと，銅線と，光ファイバと，を含む。また伝送媒体は，無線周波（ＲＦ）データ通信及び赤外線（ＩＲ）データ通信の際に発生されるような，音波，光波又は電磁波の形態をとることもできる。計算機可読媒体の通常の形態は，例えばフロッピ（登録商標）ディスク，フレキシブルディスク，ハードディスク，磁気テープ，任意のほかの磁気媒体，ＣＤ−ＲＯＭ，ＣＤ−ＲＷ，ＤＶＤ，任意のほかの光媒体，パンチカード，紙テープ，光学マークシート，穴のパターン又はほかの光学的に認識可能なしるしを有する任意のほかの物理媒体，ＲＡＭ，ＰＲＯＭ，ＥＰＲＯＭ，フラッシュＥＰＲＯＭ，任意のほかのメモリチップ又はカートリッジ，搬送波，又は計算機が読むことのできる任意のほかの媒体，を含む。
【００３６】
種々の形態の計算機可読媒体を，プロセッサが実行するための命令を供給する際に用いることができる。例えば本発明の少なくとも一部を実行する命令を，初めは遠隔計算機の磁気ディスク上に置いてもよい。このようなシナリオにおいては，遠隔計算機がその命令を主メモリに読み込み，モデムを用い電話回線を介して命令を送信する。局所システムのモデムが電話回線上のデータを受信し，赤外線送信器を用いてそのデータを赤外線信号に変換し，その赤外線信号をパーソナルデジタルアシスタント（ＰＤＡ）又はラップトップのような可搬型計算デバイスに送信する。可搬型計算デバイス上の赤外線検出器が，赤外線信号によって搬送された情報及び命令を受信し，データをバス上に置く。バスはそのデータを主メモリに搬送し，そこからプロセッサが命令を取得して実行する。主メモリが受信した命令は，プロセッサが実行する前，又は実行した後のいずれかに任意選択で記憶デバイスに記憶してもよい。
【００３７】
図７Ａ及び７Ｂは，本発明の種々の実施例に対応することができる種々のセルラ携帯電話システムの図である。図７Ａ及び７Ｂは，（無線基地局及び移動機内のデジタル信号プロセッサ（ＤＳＰ），ハードウェア，ソフトウェア，集積回路，及び／又は半導体デバイスの一部として）送受信器を備えた移動機（例えば携帯電話機）及び無線基地局双方をそれぞれ含むセルラ携帯電話システムの例を示している。例として無線ネットワークは，国際電気通信連合（ＩＴＵ）が国際移動体通信２０００（ＩＭＴ−２０００）のために規定した第２世代及び第３世代（２Ｇ及び３Ｇ）サービスに対応する。説明のために，無線ネットワークの搬送波及びチャネル選択機能は，ｃｄｍａ２０００アーキテクチャに関して説明している。ｃｄｍａ２０００は，第３世代パートナシッププロジェクト２（３ＧＰＰ２）において，ＩＳ−９５の第３世代版として標準化されつつある。
【００３８】
無線ネットワーク７００は，無線基地局サブシステム（ＢＳＳ）７０３と通信する移動機７０１（例えば携帯電話機，端末，局装置，ユニット，デバイス，又は（「装着可能（ｗｅａｒａｂｌｅ）」回路等のような）ユーザへの任意の種類のインタフェース）を含む。本発明の一実施例によれば，無線ネットワークは国際電気通信連合（ＩＴＵ）が国際移動体通信２０００（ＩＭＴ−２０００）のために規定した第３世代（３Ｇ）サービスに対応する。
【００３９】
この例において，ＢＳＳ７０３は無線基地局装置（ＢＴＳ）７０５及び無線基地局制御装置（ＢＳＣ）７０７を含む。単一のＢＴＳが示されているが，通常は複数のＢＴＳが，例えばポイント‐ツ‐ポイントリンクによってＢＳＣに接続されることを認識されたい。各ＢＳＳ７０３は，送信制御エンティティ，すなわちパケット制御機能（ＰＣＦ）７１１によってパケットデータサービスノード（ＰＤＳＮ）７０９にリンクしている。ＰＤＳＮ７０９は，例えばインターネット７１３又はほかの私的消費者ネットワーク７１５などの外部ネットワークへのゲートウェイとして機能するので，ＰＤＳＮ７０９は，ユーザの識別情報及び特権を確実に判定し，各ユーザの行動を追跡するために，認証，承認及び課金システム（ＡＡＡ）７１７を含んでもよい。ネットワーク７１５は，帰属ＡＡＡ７３７が保護する帰属エージェント（ＨＡ）７３５を介して接続される，１又は複数のデータベース７３３にリンクしたネットワーク管理システム（ＮＭＳ）７３１を備える。
【００４０】
単一のＢＳＳ７０３が示されているが，通常は複数のＢＳＳ７０３が移動体通信交換センタ（ＭＳＣ）７１９に接続していることを認識されたい。ＭＳＣ７１９は，公衆交換電話ネットワーク（ＰＳＴＮ）７２１のような回線交換電話ネットワークへの接続を行う。類似して，ＭＳＣ７１９は同一ネットワーク７００上のほかのＭＳＣ７１９，及び／又はほかの無線ネットワークに接続してもよいことを認識されたい。ＭＳＣ７１９は通常，そのＭＳＣ７１９の活性な加入者についての一時情報を保有する在圏位置レジスタ（ＶＬＲ）７２３データベースと併設されている。ＶＬＲ７２３データベース内のデータは，大部分が帰属位置レジスタ（ＨＬＲ）７２５データベースの複製であり，詳細な加入者のサービス加入情報を格納している。いくつかの実施例においてはＨＬＲ７２５とＶＬＲ７２３とは同一の物理的データベースであるが，ＨＬＲ７２５は例えばＮｏ．７信号方式（ＳＳ７）ネットワークによって接続できる遠隔地にあってもよい。認証センタ（ＡｕＣ）７２７は，秘密認証かぎのような加入者特定認証データを含み，ユーザを認証するためにＨＬＲ７２５と連携している。更にＭＳＣ７１９は，ショートメッセージを記憶し，無線ネットワーク７００との間で転送するショートメッセージサービスセンタ（ＳＭＳＣ）７２９に接続している。
【００４１】
セルラ電話システムの通常の運用に際しては，ＢＴＳ７０５は音声呼又はほかの通信を行う複数組の移動体ユニット７０１から複数組の上りリンク信号を受信して復調する。特定のＢＴＳ７０５が受信した各上りリンク信号は，その移動機内で処理される。得られたデータはＢＳＣ７０７へ転送される。ＢＳＣ７０７は，ＢＴＳ７０５間のソフトハンドオフ調整を含む呼資源割当て機能及び移動性管理機能を行う。ＢＳＣ７０７はまた，受信データをＭＳＣ７１９へ送り，ＭＳＣは次にＰＳＴＮ７２１とのインタフェースへ追加の経路制御及び／又は交換を行う。ＭＳＣ７１９はまた，呼設定，呼終了，ＭＳＣ間ハンドオーバサービス及び補足サービスの管理，並びに料金収納，課金及び会計を行う。類似して無線ネットワーク７００は下りリンクメッセージを送信する。ＰＳＴＮ７２１は，ＭＳＣ７１９と接続する。ＭＳＣ７１９はＢＳＣ７０７とも接続し，次にＢＴＳ７０５と通信し，ＢＴＳは下りリンク信号の複数の組を変調して，複数の組の移動体ユニット７０１へ送信する。
【００４２】
図７Ｂに示すように，はん用パケット無線サービス（ＧＰＲＳ）基盤設備７５０の２つのキー要素は，サービス提供ＧＰＲＳサポートノード（ＳＧＳＮ）７３２及びゲートウェイＧＰＲＳサポートノード（ＧＧＳＮ）７３４である。更にＧＰＲＳ基盤設備は，パケット制御ユニット（ＰＣＵ）７３６と，請求システム７３９にリンクした課金ゲートウェイ機能（ＣＧＦ）７３８とを含む。ＧＰＲＳの移動機（ＭＳ）７４１は，加入者識別情報モジュール（ＳＩＭ）７４３を利用する。
【００４３】
ＰＣＵ７３６は，無線インタフェース接続制御，無線インタフェース上のパケットスケジューリング，並びにパケット組立て及び再組立てのようなＧＰＲＳに関連する機能を行う論理ネットワーク要素である。一般にＰＣＵ７３６はＢＳＣ７４５と物理的に統合されている。しかし，ＢＴＳ７４７又はＳＧＳＮ７３２と併設することもできる。ＳＧＳＮ７３２は，移動性管理機能，セキュリティ機能，接続制御機能を含むＭＳＣ７４９と均等な機能を，パケット交換領域で提供する。更にＳＧＳＮ７３２は，例えばＢＳＳ ＧＰＲＳプロトコル（ＢＳＳＧＰ）を用いたフレームリレーによるインタフェースによって，ＰＣＵ７３６と接続する。１つのＳＧＳＮだけが示されているが，複数のＳＧＳＮ７３１を用いて，サービスエリアを対応する経路制御エリア（Ｒｏｕｔｉｎｇ Ａｒｅａ：ＲＡ）に分割できることを認識されたい。ＳＧＳＮ-ＳＧＳＮインタフェースは，実行中のパケットデータプロトコル（ＰＤＰ）コンテキストにおいてＲＡ更新が発生したとき，旧ＳＧＳＮから新ＳＧＳＮへのパケットトンネリングを可能にする。特定のＳＧＳＮは複数のＢＳＣ７４５にサービスを提供できるが，どの特定のＢＳＣ７４５も一般に１つのＳＧＳＮ７３２と接続する。またＳＧＳＮ７３２は，ＧＰＲＳ強化移動体アプリケーション部（ＭＡＰ）を用いたＳＳ７によるインタフェースによってＨＬＲ７５１と，又は信号接続制御部（ＳＣＣＰ）を用いたＳＳ７によるインタフェースによってＭＳＣ７４９と，任意選択で接続される。ＳＧＳＮ−ＨＬＲインタフェースは，ＳＧＳＮ７３２がＨＬＲ７５１に位置更新を提供し，ＳＧＳＮサービスエリア内のＧＰＲＳ関連加入者情報を取得できるようにする。ＳＧＳＮ−ＭＳＣインタフェースは，音声呼のための加入者呼出しのような回線交換サービスとパケットデータサービスとの協調を可能にする。最後に，ＳＧＳＮ７３２はＳＭＳＣ７５３と接続して，ネットワーク７５０を介したショートメッセージ機能を可能にする。
【００４４】
ＧＧＳＮ７３４は，インターネット７１３又はほかの私的顧客ネットワーク７５５のような外部パケットデータネットワークへのゲートウェイである。ネットワーク７５５はＰＤＳＮ７６１によって接続される１又は複数のデータベース７５９にリンクしたネットワーク管理システム（ＮＭＳ）７５７を備える。ＧＧＳＮ７３４は，インターネットプロトコル（ＩＰ）アドレスを指定し，また遠隔認証ダイヤルインユーザサービス（ＲＡＤＩＵＳ）のホストとして動作し，ユーザを認証することができる。またＧＧＳＮ７３４に置かれたファイヤウォールも，未承認のトラヒックを制限するファイヤウォール機能を実行する。１つのＧＧＳＮ７３４だけが示されているが，特定のＳＧＳＮ７３２は１又は複数のＧＧＳＮ７３４と接続することができ，ユーザデータが２つのエンティティの間及びネットワーク７５０との間をトンネルできるようにする。外部データネットワークがＧＰＲＳネットワーク７５０上でセッションを開始したとき，ＧＧＳＮ７３４は，ＭＳ７４１に現在サービスを提供しているＳＧＳＮ７３２をＨＬＲ７５１に問い合わせる。
【００４５】
ＢＴＳ７４７及びＢＳＣ７４５は，どのＭＳ７４１がいつ無線チャネルに接続するかを制御することを含め，無線インタフェースを管理する。これらの要素は本質的に，ＭＳ７４１とＳＧＳＮ７３２との間のメッセージを中継する。ＳＧＳＮ７３２はＭＳ７４１との通信を管理し，データを送受信し，その位置を追跡する。またＳＧＳＮ７３２はＭＳ７４１を登録し，ＭＳ７４１を認証し，そしてＭＳ７４１に送信するデータを暗号化する。
【００４６】
図８は，本発明の実施例による図７Ａ及び７Ｂのシステムにおいて動作できる移動機（例えば携帯電話機）の例示コンポーネントの図である。一般に無線受信器は，フロントエンド特徴及びバックエンド特徴の意味で規定されることが多い。受信器のフロントエンドは，すべての無線周波（ＲＦ）回路を含み，一方バックエンドはすべてのベースバンド処理回路を含む。電話に関係する内部コンポーネントは，主制御ユニット（ＭＣＵ）８０３と，デジタル信号プロセッサ（ＤＳＰ）８０５と，マイクロホン利得制御ユニット及びスピーカ利得制御ユニットを含む受信器及び送信器ユニットと，を含む。主ディスプレイユニット８０７は，種々のアプリケーション及び移動機機能を支援する表示をユーザに提供する。音声機能回路８０９は，マイクロホン８１１と，マイクロホン８１１からの音声信号出力を増幅するマイクロホン増幅器と，を含む。マイクロホン８１１からの増幅された音声信号出力は，コーダ及びデコーダ（コーデック）８１３に加えられる。
【００４７】
無線セクション８１５は，移動体通信システム（例えば図７Ａ又は７Ｂのシステム）に含まれる無線基地局とアンテナ８１７を介して通信するために，電力を増幅し，周波数を変換する。電力増幅器（ＰＡ）８１９並びに送信器及び変調回路は，機能的にＭＣＵ８０３に反応し，ＰＡ８１９からの出力は当業においては既知の分波器８２１又はサーキュレータ，又はアンテナスイッチに接続される。またＰＡ８１９は，バッテリインタフェース及び電力制御ユニット８２０にも接続される。
【００４８】
現用時に，ＭＳ８０１のユーザはマイクロホン８１１に向かって話をし，その声と任意の検出された背景ノイズとがアナログ電圧に変換される。次にアナログ電圧はアナログデジタル変換器（ＡＤＣ）８２３によってデジタル信号に変換される。制御ユニット８０３は，音声符号化，チャネル符号化，暗号化，及びインタリーブのような処理のためにデジタル信号をＤＳＰ８０５に送る。例示実施例において処理した音声信号は，２重モード広帯域スペクトラム拡散セルラシステムのための通信産業協会のＴＩＡ/ＥＩＡ/ＩＳ−９５−Ａ  移動機−無線基地局適合性標準（ここにその全体を参照する）に詳細に記載されているとおりの，個別には示されていないユニットによって符号化される。
【００４９】
符号化した信号は次に等化器８２５に送られ，無線送信中に生じる位相歪み及び振幅歪みのような任意の周波数依存劣化が補償される。ビットストリームを等化した後，変調器８２７が信号とＲＦインタフェース８２９で発生させたＲＦ信号とを混合する。変調器８２７は周波数変調又は位相変調された正弦波を発生する。送信する信号を用意するために，アップコンバータ８３１が変調器８２７からの正弦波出力と，シンセサイザ８３３で発生させた別の正弦波とを混合して，所望の送信周波数を得る。次に信号はＰＡ８１９に送られて，適当な電力レベルまで信号を増大させる。実際のシステムにおいては，ＰＡ８１９は可変利得増幅器として動作し，その利得はネットワーク無線基地局から受信した情報によって，ＤＳＰ８０５が制御する。次に信号は分波器８２１内でろ波され，任意選択でアンテナ結合器８３５に送られて，最大電力転送が行われるようにインピーダンス整合が行われる。最後に信号はアンテナ８１７を介して近くの無線基地局へ送信される。受信器の最終段の利得を制御するために，自動利得制御（ＡＧＣ）を行ってもよい。信号はそこから，別の携帯電話機かもしれない遠隔電話機，公衆交換電話ネットワーク（ＰＳＴＮ）に接続したほかの携帯電話機又は地上回線，又はほかの電話ネットワークに転送してもよい。
【００５０】
ＭＳ８０１に送信された音声信号は，アンテナ８１７を介して受信され，低ノイズ増幅器（ＬＮＡ）８３７によって直ちに増幅される。ダウンコンバータ８３９が搬送波を低域に変換し，復調器８４１がＲＦを除去してデジタルビットストリームだけを残す。次に信号は等化器８２５へ進み，ＤＳＰ８０５によって処理される。デジタルアナログ変換器（ＤＡＣ）８４３が信号を変換し，得られた出力がスピーカ８４５によってユーザに送信される。すべての操作は主制御ユニット（ＭＣＵ）８０３の制御下で行われ，ＭＣＵは中央処理ユニット（ＣＰＵ）（図示していない）として実現することができる。
【００５１】
ＭＣＵ８０３はキーボード８４７からの入力信号を含む種々の信号を受信する。ＭＣＵ８０３は，ディスプレイ８０７に表示コマンド及び切替えコマンドを，切替えコントローラに音声出力を，それぞれ配信する。更にＭＣＵ８０３は，ＤＳＰ８０５と情報を交換し，任意選択で組み込まれるＳＩＭカード８４９及びメモリ８５１を利用することができる。更にＭＣＵ８０３は，ＭＳに必要な種々の制御機能を実行する。実装に応じてＤＳＰ８０５は，音声信号について種々の通常のデジタル処理のうちどれでも実行することができる。更にＤＳＰ８０５は，マイクロホン８１１が検出した信号から局所環境の背景ノイズレベルを判定して，マイクロホン８１１の利得を設定し，ＭＳ８０１のユーザの生来の傾向を補償するようにレベル選択する。
【００５２】
コーデック８１３はＡＤＣ８２３及びＤＡＣ８４３を含む。メモリ８５１は着信音データを含む種々のデータを記憶し，例えば，大域インターネットを介して受信した音楽データを含むほかのデータを記憶することができる。ソフトウェアモジュールは，ＲＡＭ，フラッシュメモリ，レジスタ，又は当業において既知の任意の書き込み可能記憶媒体に置くことができる。メモリデバイス８５１は，単一メモリ，ＣＤ，ＤＶＤ，ＲＯＭ，ＲＡＭ，ＥＥＰＲＯＭ，光記憶媒体，又はデジタルデータを記憶できる任意のほかの不揮発性記憶媒体であってよいが，それに限定されるものではない。
【００５３】
任意選択で組み込まれるＳＩＭカード８４９は，例えば携帯電話番号と，通信事業者提供サービスと，加入者情報の詳細と，セキュリティ情報のような重要な情報を含む。ＳＩＭカード８４９は，本来無線ネットワーク上のＭＳ８０１を識別するためのものである。ＳＩＭカード８４９はまた，個人電話番号帳，テキストメッセージ，ユーザ特定移動機設定を記憶するメモリを含む。
【００５４】
図９は例示企業内ネットワークであって，パケットを主体とする技術，及び／又はセルを主体とする技術（例えば非同期転送モード（ＡＴＭ），Ｅｔｈｅｒｎｅｔ（登録商標），ＩＰ技術）を用いた任意の種類のデータ通信ネットワークであってよい。企業内ネットワーク９０１は，有線ノード９０３，及び無線ノード９０５〜９０９（固定又は移動）との接続を行い，それらはそれぞれ上述の処理を行うように構成されている。企業内ネットワーク９０１は，ＷＬＡＮネットワーク９１１（例えばＩＥＥＥ８０２．１１），ｃｄｍａ２０００セルラネットワーク９１３，電話ネットワーク９１５（例えばＰＳＴＮ），又は公衆データネットワーク９１７（例えばインターネット）のような種々のほかのネットワークと通信することができる。
【００５５】
本発明をいくつかの実施例及び実装例に関連して説明したが，本発明はそれらに限定されず，種々の明白な修正物及び均等構成物を含む。それらは本願請求項の範囲内にある。本発明の特徴を各請求項のある組合せで表現したが，これらの特徴は任意の組合せ及び順序で構成できることを熟慮されたい。
【図面の簡単な説明】
【００５６】
【図１】本発明の実施例による，下りリンク及び上りリンクの非対称搬送波に対応するように構成された接続ネットワーク（ＡＮ）及び接続端末（ＡＴ）を含む無線システムのアーキテクチャを示す図である。
【図２】本発明の実施例による，上りリンクの多数の搬送波に対応する上りリンク活性度情報を提供する例示処理のフローチャートである。
【図３】本発明の実施例による，上りリンクの多数の搬送波に対応する上りリンク活性度情報を提供する例示処理のフローチャートである。
【図４】本発明の実施例による，上りリンクの多数の搬送波に対応する上りリンク活性度情報を提供する例示処理のフローチャートである。
【図５Ａ】本発明の種々の実施例による例示情報チャネル指定メッセージの図である。
【図５Ｂ】本発明の種々の実施例による例示情報チャネル指定メッセージの図である。
【図５Ｃ】本発明の種々の実施例による例示情報チャネル指定メッセージの図である。
【図６】本発明の種々の実施例を実現するために使用できるハードウェアを示す図である。
【図７Ａ】本発明の種々の実施例に対応することができる種々のセルラ携帯電話システムの図である。
【図７Ｂ】本発明の種々の実施例に対応することができる種々のセルラ携帯電話システムの図である。
【図８】本発明の実施例による図７Ａ及び７Ｂのシステムにおいて動作できる移動機の例示コンポーネントの図である。
【図９】本発明の実施例による，ここに説明した処理に対応できる企業ネットワークの図である。
【図１】
2009504055.tif 000010
【図２】
2009504055.tif 000011
【図３】
2009504055.tif 000012
【図４】
2009504055.tif 000013
【図５Ａ】
2009504055.tif 000014
【図５Ｂ】
2009504055.tif 000015
【図５Ｃ】
2009504055.tif 000016
【図６】
2009504055.tif 000017
【図７Ａ】
2009504055.tif 000018
【図７Ｂ】
2009504055.tif 000019
【図８】
2009504055.tif 000020
【図９】
2009504055.tif 000021
【国際調査報告】
2009504055.tif 000022
2009504055.tif 000023
2009504055.tif 000024
2009504055.tif 000025